(57)【要約】【課題】  第２送風ファンだけを駆動している場合でも、電装品ユニットを冷却できる空気調和機を提供することを目的としたものである。【解決手段】    吸込口より室内空気を吸込み、調和された空気を吹出口より吹出す第１送風ファンを有する本体ユニットと、前記本体ユニットの側部に取付けられ、補助吸込口より室内空気を吸込み、吸込んだ室内空気を補助吹出口より吹出す第２送風ファンを有するファンユニットと、前記本体ユニットの内部で前記第１送風ファンによって吸込まれた空気が流通する位置に、前記第１送風ファンと前記第２送風ファンを制御する制御部を配置し、前記第２送風ファンは、前記第１送風ファンの駆動機構と異なる駆動機構によって駆動され、前記制御部が、前記第１送風ファンを駆動させず、前記ファンユニットの前記第２送風ファンを所定の時間駆動させた場合、前記制御部は、前記第１送風ファンを駆動させる。【選択図】図５
2014145561.tif 000002
【特許請求の範囲】
【請求項１】
吸込口より室内空気を吸込み、調和された空気を吹出口より吹出す第１送風ファンを有する本体ユニットと、
前記本体ユニットの側部に取付けられ、補助吸込口より室内空気を吸込み、吸込んだ室内空気を補助吹出口より吹出す第２送風ファンを有するファンユニットと、
前記本体ユニットの内部で前記第１送風ファンによって吸込まれた空気が流通する位置に、前記第１送風ファンと前記第２送風ファンを制御する制御部を配置し、
前記第２送風ファンは、前記第１送風ファンの駆動機構と異なる駆動機構によって駆動され、
前記制御部が、前記第１送風ファンを駆動させず、前記ファンユニットの前記第２送風ファンを所定の時間駆動させた場合、
前記制御部は、前記第１送風ファンを駆動させることを特徴とする空気調和機。
【発明の詳細な説明】
【技術分野】
【０００１】
本発明は空気調和機に関する。
【背景技術】
【０００２】
空気調和機は室内機の吹出口から熱交換器により熱交換された冷気または暖気を、クロスフローファンを用いて吹き出す。特許文献１には、吹出口の両側に隣接して補助吹出口が形成されたものが開示されている。補助吹出口は筐体の正面で開口し、補助送風ファンを用いて空気を吹出している。この補助送風ファンとクロスフローファンは駆動機構が共通化されている。これにより、補助送風ファンを駆動するための電装品ユニットは共通のものとなる。
【０００３】
駆動機構を制御している間、電装品ユニットは発熱する。そのため、電装品ユニットは、室内機本体の筐体内で、室内空気を吸込む吸込口と吹出口を繋ぐ空気通路内に配置される。室内機本体にあるクロスフローファンを駆動することで、空気通路内に空気が流れ、電装品ユニットを冷却することが出来る。
【先行技術文献】
【特許文献】
【０００４】
【特許文献１】特開２０１０−１６４２７１号公報
【発明の概要】
【発明が解決しようとする課題】
【０００５】
特許文献１に開示されている空気調和機は、補助吹出口が、吹出口を備えた室内機本体の筐体に設置されている。しかし、特許文献１において、補助送風ファンとクロスフローファンを別の駆動源で動かすようにすることが考えられる。その場合、補助送風ファンだけを駆動すると、室内機本体の空気通路内に空気が流れず、電装品ユニットを冷却することが出来ない。
【０００６】
そこで、本発明は、補助送風ファンがクロスフローファンとは異なる駆動源を有している場合でも、室内機本体の筐体内に配置されている電装品ユニットを冷却する事が出来る空気調和機を提供することを目的としたものである。
【課題を解決するための手段】
【０００７】
吸込口より室内空気を吸込み、調和された空気を吹出口より吹出す第１送風ファンを有する本体ユニットと、前記本体ユニットの側部に取付けられ、補助吸込口より室内空気を吸込み、吸込んだ室内空気を補助吹出口より吹出す第２送風ファンを有するファンユニットと、前記本体ユニットの内部で前記第１送風ファンによって吸込まれた空気が流通する位置に、前記第１送風ファンと前記第２送風ファンを制御する制御部を配置し、前記第２送風ファンは、前記第１送風ファンの駆動機構と異なる駆動機構によって駆動され、前記制御部が、前記第１送風ファンを駆動させず、前記ファンユニットの前記第２送風ファンを所定の時間駆動させた場合、前記制御部は、前記第１送風ファンを駆動させる。
【発明の効果】
【０００８】
以上のような空気調和機によれば、補助送風ファンのみを駆動した場合でも、室内機本体の筐体内に配置されている電装品ユニットを冷却することができる。
【図面の簡単な説明】
【０００９】
【図１】本実施例の室内機の外観を概略的に示す斜視図である。
【図２】室内機の構成を概略的に示す分解斜視図である。
【図３】主筐体の正面から見た概略図である。
【図４】第１送風ファンの構成を概略的に示す室内機の垂直断面図である。
【図５】送風モードの第１送風ファンと第２送風ファンの駆動状態を示したタイムチャートである。
【図６】除霜運転モードの第１送風ファンと第２送風ファンの駆動状態を示したタイムチャートである。
【発明を実施するための形態】
【００１０】
以下、添付図面を参照しつつ本発明の一実施形態を説明する。
【００１１】
図１と図２に示すように、本実施例の室内機１０は、本体ユニット２０および１対のファンユニット３０を備える。本体ユニット２０の前面にはアウターパネル２３が配置される。本体ユニット２０の天面側と前面側には室内空気を取り込むための吸込口２１が設けられる。前面側の吸込口２１と対向する位置には前面パネル２４が設けられ、この前面パネル２４はアウターパネル２３に覆われている。図４に示すように、本体ユニット２０の内部には、室内熱交換器２５と、第１送風ファン２７が配置される。第１送風ファン２７が駆動することで、吸込口２１より室内空気は本体ユニット２０内に吸込まれる。吸込まれた室内空気は室内熱交換器２５で冷媒と熱交換され、調和空気が生成される。生成された調和空気は、本体ユニット２０の前面下部にある上下風向板２９ａ、２９ｂで風向を偏向され、吹出口２２より室内へ吹出される。
【００１２】
ファンユニット３０について、図１と図２と図３を基に説明する。ファンユニット３０は、図１に示すように、本体ユニット２０の両側部にあるサイドファンカバー３５内に収まるように配置される。ファンユニット３０は、本体ユニット２０に対して水平軸線４１回りで回転可能となるように、サイドファンカバー３５に軸支されている。図２に示すように、ファンユニット３０には水平軸線４１方向の外側から室内空気を吸込む補助吸込口３１が配置され、この補助吸込口３１から吸込まれた室内空気を室内空間に吹出す補助吹出口３２がファンユニット３０の前面側に配置される。また、ファンユニット３０は、室内空気を吸込み、吸込んだ室内空気を吹出すための第２送風ファン３３を備えている。第２送風ファン３３はファンユニット３０の内部に配置される。第２送風ファン３３にはモータ３４が接続され、このモータ３４によって駆動される。
【００１３】
図３に示すように、本体ユニット２０の内部には第１電装品ユニット２６が配置されている。第１電装品ユニット２６には、第１送風ファン２７を駆動する駆動源２８の電源部および制御部、第２送風ファン３３を駆動するモータ３４の電源部および制御部、その他の電気部品が搭載されている。また、図２に示すように、第１電装品ユニット２６は、本体ユニット２０の前面側に取付けられる。さらに、第１電装品ユニット２６の少なくとも一部が、室内熱交換器２５に対向するように配置され、前面パネル２４に覆われる。
【００１４】
この配置により、第１電装品ユニット２６は、第1送風ファン２７によって吸込口２１から吸込まれた空気が流通する位置に配置されることとなる。例えば、図４に示すように、第１電装品ユニット２６は吸込口２１と室内熱交換器２５の間に配置される。この配置により、第１電装品ユニット２６は第1送風ファン２７によって吸込口２１から吸込まれ流通する空気によって冷却される。
【００１５】
次に、本実施例の空気調和機の動作を説明する。本実施例の空気調和機は冷房運転および暖房運転が設定されると、第１電装品ユニット２６が、本体ユニット２０の第１送風ファン２７を駆動させ吹出口２２から調和空気を吹出させ、ファンユニット３０の第２送風ファン３３を駆動させ補助吹出口３２から室内空気を吹出させて、室内を設定温度まで空調する。冷房運転時では、吹出口２２から吹出される調和空気は上下風向板２９ａ、２９ｂで水平方向に偏向され天井付近に向かって吹出され、補助吹出口３２から吹出される室内空気は斜め下方向に吹出される。これにより、冷気を室内に居る人に直接当てず、撹拌する空気で涼しさを提供することが出来る。一方、暖房運転時では、吹出口２２から吹出される調和空気は上下風向板２９ａ、２９ｂで偏向され斜め下方向に吹出され、補助吹出口３２から吹出される室内空気はファンユニット３０を回転させることで斜め下方向に吹出される。これにより、室内空気で暖気を上から抑える事ができ、室内に居る人の足元を暖めることが出来る。
【００１６】
室内温度が設定温度に達した場合、第１電装品ユニット２６は、室内空間の空気を循環させるために、本実施例の空気調和機を送風モードに切り替える。この送風モードでは、第１電装品ユニット２６は、第１送風ファン２７を停止させ、第２送風ファン３３だけを駆動させる。送風モードで、第１電装品ユニット２６が、室内を空調する必要があると室内温度と設定温度に所定以上の温度差が生じることで判断した場合、送風モードを解除して、冷房運転または暖房運転に戻す。
【００１７】
また、第１電装品ユニット２６は、暖房運転時に図示しない室外機内にある室外熱交換器に霜が付着したと外気温度に基づいて判断した場合、霜を取り除くための除霜運転モードに切り替わる。除霜運転モードでは、冷凍サイクルを冷房運転と同じ状態に切替える。第１電装品ユニット２６は、本体ユニット２０の吹出口２２から冷たい空気を吹出さないようにするために、第１送風ファン２７を停止させる。また、補助吹出口３２を正面に向けたうえで第２送風ファン３３の回転数を「微弱」に変更して補助吹出口３２から室内空間へ吹出される空気の風量を微弱にする。
【００１８】
これら送風モードおよび除霜運転モードでは、第１電装品ユニット２６は第１送風ファン２７を停止させ、第２送風ファン３３だけを駆動させている。第１送風ファン２７が停止しているため、吸込口２１から空気が吸込まれず、第１電装品ユニット２６は流通する空気による冷却がされない状態である。また、第２送風ファン３３は駆動しているため、第１電装品ユニット２６内の電源部は発熱する。そこで、送風モードまたは除霜運転モードで空気調和機が運転されている時の第１電装品ユニット２６を冷却する手順について説明する。
【００１９】
初めに、送風モードで空気調和機が運転されている時の第１電装品ユニット２６を冷却する手順について、図５に示すタイムチャートを基に説明する。本実施例の空気調和機が冷房運転および暖房運転を行っている時（圧縮機、第１送風ファン２７、第２送風ファン３３共に動作している時）に、室内温度が設定温度まで達すると、第１電装品ユニット２６は第１送風ファン２７を停止させる（ＯＦＦ）と共に、室外機にある圧縮機を停止させる。第１電装品ユニット２６は第２送風ファン３３を継続して駆動させる。
【００２０】
第１電装品ユニット２６は第１送風ファン２７を停止させた（ＯＦＦ）後、内部に保持しているタイマーのカウントを開始する。第１送風ファン２７を停止させてから所定時間経過した時、第１電装品ユニット２６は第１送風ファン２７を駆動させる（ＯＮ）。本実施例の所定時間は１０分間であり、これは第１送風ファン２７を停止させてから第１電装品ユニット２６を冷却する必要が生じるまでの時間である。これにより、吸込口２１から室内空気が吸込まれ、吸込まれた室内空気が第１電装品ユニット２６に当てることで、第１電装品ユニット２６を冷却することが出来る。第１送風ファン２７を駆動させてから１分経過した時、第１電装品ユニット２６は第１送風ファン２７を停止させる（ＯＦＦ）。再び第１送風ファン２７を停止させてから１０分経過した時、第１電装品ユニット２６は第１送風ファン２７を駆動させる（ＯＮ）。第１電装品ユニット２６は、室内温度が設定温度よりも所定の温度以上離れるまで、上記の第１送風ファン２７の停止（ＯＦＦ）および駆動（ＯＮ）を繰り返す。なお、本発明の空気調和機は所定時間を１０分間に限定したものではなく、空気調和機の性能などに応じて、適宜変更しても良い。
【００２１】
次に、除霜運転モードで空気調和機が運転されている時の第１電装品ユニット２６を冷却する手順について図６に示すタイムチャートを基に説明する。本実施例の空気調和機が暖房運転を行っている時（圧縮機、第１送風ファン２７、第２送風ファン３３共に動作している時）に、室外機にある室外熱交換器に霜が付着したことを検知すると、第１電装品ユニット２６は第１送風ファン２７を停止させる（ＯＦＦ）と共に、室外機にある圧縮機を最大の回転数よりも低い回転数である「低回転」に変更させる。第１電装品ユニット２６は、補助吹出口３２を正面に向けたうえで第２送風ファン３３を最小の回転数である「微弱」に変更し、継続して駆動させる。なお、第２送風ファン３３を「微弱」に変更することで、第１電装品ユニット２６の発熱を抑えることができ、第２送風ファン３３だけを駆動させる時間を長くすることが出来る。さらに、補助吹出口３２を正面に向けることで、天井付近に溜まり易い暖気を撹拌することが出来る。
【００２２】
第１電装品ユニット２６は第１送風ファン２７を停止させた（ＯＦＦ）後、内部に保持しているタイマーのカウントを開始する。第１送風ファン２７を停止させてから所定時間経過した時、または、室外機に付着した霜が除去できたことを検知した時、第１電装品ユニット２６は第１送風ファン２７を最大の回転数よりも低い回転数である「弱」回転で駆動させる。本実施例の所定時間は１５分間である。これにより、吸込口２１から室内空気が吸込まれ、吸込まれた室内空気が第１電装品ユニット２６に当てることで、第１電装品ユニット２６を冷却することが出来る。また、第１送風ファン２７を最大の回転数よりも低い回転数で駆動させることで、除霜運転モードで冷却された室内熱交換器２５を通過した空気を室内に出来るだけ吹出さないようにすることが出来る。第１送風ファン２７を最大の回転数よりも低い回転数である「弱」回転で駆動させてから３分経過した時、第１電装品ユニット２６は第１送風ファン２７を通常運転時の回転数に戻し、また、補助吹出口３２を斜め下方向に向けたうえで第２送風ファン３３も通常運転時の回転数に戻し、暖房運転を再開する。
【００２３】
以上より、第１送風ファン２７を停止中に第２送風ファン３３駆動させた時に、第１電装品ユニット２６で発生した熱を、第１送風ファン２７を駆動させることで吸込まれた空気で冷却することが出来る。
【符号の説明】
【００２４】
１０    室内機
２０    本体ユニット
２１    吸込口
２２    吹出口
２５    室内熱交換器
２６    第１電装ユニット
２７    第１送風ファン
２８    駆動源
３０    ファンユニット
３１    補助吸込口
３２    補助吹出口
３３    第２送風ファン
３４    モータ
３５    サイドファンカバー
【図１】
2014145561.tif 000003
【図２】
2014145561.tif 000004
【図３】
2014145561.tif 000005
【図４】
2014145561.tif 000006
【図５】
2014145561.tif 000007
【図６】
2014145561.tif 000008